(57)【特許請求の範囲】
【請求項１】
少なくとも１つの第１装置と、第２装置を備える電気設備資産管理システムであって、
前記第１装置は、複数の負荷装置が接続された電源の負荷電流波形を計測する計測手段と、
前記負荷電流波形の計測データと計測した位置の計測位置データとを前記第２装置に送信する送信手段と、を有し、
前記第２装置は、
前記負荷電流波形から複数の前記負荷装置がそれぞれ有する個別負荷電流波形を分離する波形分離フィルタと、
前記負荷装置がそれぞれ有する前記個別負荷電流波形の特徴がデータ化された負荷装置特徴マスタデータおよび前記負荷装置に関する個別情報を記憶しているデータベースと、
分離されたそれぞれの前記個別負荷電流波形を特徴化した個別負荷機器特徴データを生成し、前記データベースを参照し、前記個別負荷機器特徴データと前記負荷装置特徴マスタデータとを比較して前記負荷装置を特定する負荷装置特定手段と、
特定された前記負荷装置の前記計測位置データと特定された前記負荷装置の前記個別情報とを比較して前記個別情報を更新する管理手段と、を有する、
電気設備資産管理システム。
【請求項２】
前記個別情報は、前記負荷装置が配置された位置に関する位置マスタ情報を含み、
前記管理手段は、前記計測位置データと前記位置マスタ情報を比較して特定された前記負荷装置の移動を検出する、
請求項１に記載の電気設備資産管理システム。
【請求項３】
前記負荷装置特定手段は、前記個別負荷機器特徴データと前記負荷装置特徴マスタデータとを比較して、前記負荷装置特徴マスタデータが記録されていない未認証負荷装置を検出する、
請求項１または２に記載の電気設備資産管理システム。
【請求項４】
第１装置において、複数の負荷装置が接続された電源の負荷電流波形を計測し、
前記第１装置において、前記負荷電流波形の計測データと計測した位置の計測位置データとを第２装置に送信し、
前記第２装置において、前記負荷電流波形から複数の前記負荷装置がそれぞれ有する個別負荷電流波形を分離し、
前記第２装置において、データベースには、前記負荷装置がそれぞれ有する前記個別負荷電流波形の特徴がデータ化された負荷装置特徴マスタデータおよび前記負荷装置に関する個別情報が記憶されており、分離されたそれぞれの前記個別負荷電流波形を特徴化した個別負荷機器特徴データを生成し、前記データベースを参照し、前記個別負荷機器特徴データと前記負荷装置特徴マスタデータとを比較して前記負荷装置を特定し、
前記第２装置において、特定された前記負荷装置の前記計測位置データと特定された前記負荷装置の前記個別情報とを比較して前記個別情報を更新する、電気設備資産管理方法。
【請求項５】
第１装置において、複数の負荷装置が接続された電源の負荷電流波形を計測し、
前記第１装置において、前記負荷電流波形の計測データと計測した位置の計測位置データとを第２装置に送信し、
前記第２装置において、前記負荷電流波形から複数の前記負荷装置がそれぞれ有する個別負荷電流波形を分離し、
前記第２装置において、データベースには、前記負荷装置がそれぞれ有する前記個別負荷電流波形の特徴がデータ化された負荷装置特徴マスタデータおよび前記負荷装置に関する個別情報が記憶されており、分離されたそれぞれの前記個別負荷電流波形を特徴化した個別負荷機器特徴データを生成し、前記データベースを参照し、前記個別負荷機器特徴データと前記負荷装置特徴マスタデータとを比較して前記負荷装置を特定し、
前記第２装置において、特定された前記負荷装置の前記計測位置データと特定された前記負荷装置の前記個別情報とを比較して前記個別情報を更新する、処理をコンピュータに実行させる、
電気設備資産管理プログラム。
【発明の詳細な説明】
【技術分野】
【０００１】
本発明は、電気設備を遠隔から管理するための資産管理システム、資産管理方法およびプログラムに関する。
【背景技術】
【０００２】
通信機能を有さない電気設備（例えば、空調機、冷凍機、電気調理器等）は、企業会計を管理する際に設備資産として扱われる。これらの電気設備を資産管理する場合、電気設備が設置された場所に実際に赴いて目視によって確認する方法が用いられる。通信機能を有さない電気機器を管理する装置として特許文献１に記載された電気機器管理システムがある。この電気機器管理システムは、分電盤から分電される複数のコンセントの差し込み口のそれぞれに接続されている電気機器の消費電力に関する電力情報を取得する計測部と、電力情報に基づいてそれぞれの電気機器の種類を特定すると共に、特定した電気機器の種類及び特定した電気機器のそれぞれの消費電力量を示す特定情報を生成する特定部と、それぞれの電気機器によって消費されるそれぞれの消費電力量を示す個別情報を、差し込み口毎に識別して取得する取得部と、特定情報と個別情報とに基づいて、種類が特定された電気機器の接続先である差し込み口を判別する判別部と、を備えている。
【０００３】
また、電気機器の稼動状態を監視する装置として特許文献２に記載された監視装置がある。この監視装置は、電気機器各々の特徴量である機器特徴量と台数パラメータＴｎとに基づいて結合特徴量を算出する結合特徴量算出部と、所定の単位内における総消費電流又は総消費電力を測定する測定部と、測定結果を利用して特徴量を取得する現在特徴量取得部と、現在特徴量と、結合特徴量とを比較し、現在特徴量と一致する結合特徴量を特定する比較部と、現在特徴量と一致する結合特徴量を算出したときの台数パラメータＴｎの値に基づいて、機器特徴量Ｆｎで特定される電気機器がＴｎ台稼動していることを示す情報を出力する出力部と、を有している。
【先行技術文献】
【特許文献】
【０００４】
【特許文献１】特開２０１４−０５０１７１号公報
【特許文献２】特開２０１５−０２１７７５号公報
【発明の概要】
【発明が解決しようとする課題】
【０００５】
特許文献１に記載された電気機器管理システムによると、電気機器を差し込み口ごとに特定しており、差し込み口から分岐して接続された複数の電気機器を特定することができない。そして、電気機器管理システムは、差し込み口を特定するためにそれぞれの差し込み口に対応するセンサを接続しなければならず、装置構成が複雑化する。また、電気機器管理システムは、分電盤ごとに複数の電気機器を管理しており、電気機器が他の分電盤がある場所に移動したことを検出することができない。さらに電気機器管理システムは、電気機器を遠隔管理することができず、特に多拠点に存在する電気機器を管理する場合に課題がある。
【０００６】
また、特許文献２に記載された監視装置は、電気機器の稼動状態を管理しており、電気機器が他の場所に移動したことを検出することができない。そして、この監視装置は、電気機器の移動を遠隔管理することができず、多拠点に存在する電気機器を管理する場合に課題がある。
【０００７】
本発明は、装置構成を簡略化すると共に、多拠点にある電源に接続された複数の負荷装置の電源にかかる負荷の監視結果からそれぞれの負荷装置を特定し、特定したそれぞれの負荷装置の存否を遠隔で管理することができる資産管理システム、資産管理方法およびプログラムを提供することを目的とする。
【課題を解決するための手段】
【０００８】
本発明にかかる資産管理システムは、複数の負荷装置が接続された電源の負荷電流波形を計測する計測手段と、
前記負荷電流波形の計測データと計測した位置の計測位置データと送信する送信手段と、
前記負荷電流波形から複数の前記負荷装置がそれぞれ有する個別負荷電流波形を分離する波形分離フィルタと、
前記負荷装置がそれぞれ有する前記個別負荷電流波形の特徴がデータ化された負荷装置特徴マスタデータおよび前記負荷装置に関する個別情報を記憶しているデータベースと、
分離されたそれぞれの前記個別負荷電流波形を特徴化した個別負荷機器特徴データを生成し、前記データベースを参照し、前記個別負荷機器特徴データと前記負荷装置特徴マスタデータとを比較して前記負荷装置を特定する負荷装置特定手段と、
特定された前記負荷装置の前記計測位置データと特定された前記負荷装置の前記個別情報とを比較して前記個別情報を更新する管理手段と、を有する。
【０００９】
本発明にかかる資産管理方法は、複数の負荷装置が接続された電源の負荷電流波形を計測し、
前記負荷電流波形の計測データと計測した位置の計測位置データとを送信し、
前記負荷電流波形から複数の前記負荷装置がそれぞれ有する個別負荷電流波形を分離し、
データベースには、前記負荷装置がそれぞれ有する前記個別負荷電流波形の特徴がデータ化された負荷装置特徴マスタデータおよび前記負荷装置に関する個別情報が記憶されており、分離されたそれぞれの前記個別負荷電流波形を特徴化した個別負荷機器特徴データを生成し、前記データベースを参照し、前記個別負荷機器特徴データと前記負荷装置特徴マスタデータとを比較して前記負荷装置を特定し、
特定された前記負荷装置の前記計測位置データと特定された前記負荷装置の前記個別情報とを比較して前記個別情報を更新する、処理をコンピュータに実行させる。
【００１０】
本発明にかかる資産管理プログラムは、複数の負荷装置が接続された電源の負荷電流波形を計測し、
前記負荷電流波形の計測データと計測した位置の計測位置データとを送信し、
前記負荷電流波形から複数の前記負荷装置がそれぞれ有する個別負荷電流波形を分離し、
データベースには、前記負荷装置がそれぞれ有する前記個別負荷電流波形の特徴がデータ化された負荷装置特徴マスタデータおよび前記負荷装置に関する個別情報が記憶されており、分離されたそれぞれの前記個別負荷電流波形を特徴化した個別負荷機器特徴データを生成し、前記データベースを参照し、前記個別負荷機器特徴データと前記負荷装置特徴マスタデータとを比較して前記負荷装置を特定し、
特定された前記負荷装置の前記計測位置データと特定された前記負荷装置の前記個別情報とを比較して前記個別情報を更新する、処理をコンピュータに実行させる。
【発明の効果】
【００１１】
本発明にかかる資産管理システム、資産管理方法およびプログラムによると、装置構成を簡略化すると共に、多拠点にある電源に接続された複数の負荷装置の電源にかかる負荷の監視結果からそれぞれの負荷装置を特定し、特定したそれぞれの負荷装置の存否を遠隔で管理することができる。
【図面の簡単な説明】
【００１２】
【図１】本発明の実施形態にかかる資産管理システムを示したブロック図である。
【図２】波形分離フィルタと負荷装置特定手段とが行う処理の概念図である。
【図３】負荷装置特徴マスタデータと個別情報の内容を示した図である。
【図４】生成される個別負荷機器特徴データに対応する負荷装置ＩＤを特定する状態を示した図である。
【図５】個別情報を更新する状態を示した図である。
【図６】資産管理システムの処理を示したフローチャートである。
【発明を実施するための形態】
【００１３】
以下、図面を参照して本発明にかかる資産管理システムの実施形態について説明する。
【００１４】
図１に示されるように、資産管理システム１０は、複数の拠点Ａ，Ｂに配置された複数の負荷装置１を遠隔地にある拠点Ｃの管理手段９で管理するシステムである。拠点Ａ，Ｂは、コンビニエンスストア等の店舗の他、大規模な工場内の１エリアであってもよい。拠点Ａ，Ｂにおいて、電源２には、複数の負荷装置１（１１〜１ｎ）が電気的に接続されている。電源２は、例えば分電盤である。電源２は、同一の施設内で複数あるものであってもよい。複数の負荷装置１は、それぞれ種類が異なる電気機器である。複数の負荷装置１の中には、同型の電気機器があってもよい。負荷装置１は、電源２に電気的に接続されていればよく、コンセントによって接続されているか、直接接続されているかを問わない。電源２と複数の負荷装置１との間を電気的に接続する電力線２ａには、複数の負荷装置１の負荷によって生じる負荷電流波形Ｗを計測する計測手段３が接続されている。
【００１５】
計測手段３が計測する電力線２ａの位置は、複数の負荷装置１へ分岐する前の位置である。計測手段３が計測する負荷電流波形Ｗは、それぞれの負荷装置１１〜１ｎが単独で稼働している状態の波形の他、複数の負荷装置１が同時に稼働している状態の波形であってもよい。計測手段３は、負荷電流波形Ｗを計測において、拠点内における総消費電流又は総消費電力の瞬時値を測定する。拠点内における総消費電流又は総消費電力の瞬時値を測定する手段は様々な従来技術を採用することができる。計測手段３は、負荷電流波形Ｗを計測した後、この計測データと計測した位置の計測位置データとを含む計測情報を送信手段４に出力する。計測位置データは、予め記録させてあるデータの他、ＧＰＳ（Ｇｌｏｂａｌ  Ｐｏｓｉｔｉｏｎｉｎｇ  Ｓｙｓｔｅｍ）等の位置計測手段で取得したデータであってもよい。
【００１６】
送信手段４は、入力された計測情報をネットワーク５を介して、拠点Ｃに設置された波形分離フィルタ７に送信する。ネットワーク５は、インターネット等の公衆回線の他、ＬＡＮ（Ｌｏｃａｌ  Ａｒｅａ  Ｎｅｔｗｏｒｋ）等の構内回線であってもよい。
【００１７】
図２に示されるように、波形分離フィルタ７は、入力された計測情報に含まれる負荷電流波形Ｗの計測データを解析し、負荷電流波形Ｗから複数の負荷装置１１〜１ｎがそれぞれ有する個別負荷電流波形Ｗ１〜Ｗｎを分離する。個別負荷電流波形Ｗ１〜Ｗｎを分離する手法は、例えば特許文献２に記載された手法を用いることができる。分離された個別負荷電流波形Ｗｘ，Ｗｙ，Ｗｚ，，，は、いずれかの負荷装置１１〜１ｎが有する個別負荷電流波形Ｗ１〜Ｗｎであるのかが不明である。そこで、波形分離フィルタ７は、分離された個別負荷電流波形Ｗｘ，Ｗｙ，Ｗｚ，，，の負荷装置ＩＤを特定するために、分離された個別負荷電流波形Ｗｘ，Ｗｙ，Ｗｚ，，，のデータを負荷装置特定手段８に出力する。
【００１８】
負荷装置特定手段８は、データベース６を参照して分離された個別負荷電流波形Ｗｘ，Ｗｙ，Ｗｚ，，，を量子データ化し、特徴化した個別負荷機器特徴データＲ１〜Ｒｎを生成する。
【００１９】
図３に示されるように、データベース６には、負荷装置１１〜１ｎがそれぞれ有する個別負荷電流波形Ｗ１〜Ｗｎの特徴がデータ化された負荷装置特徴マスタデータ６ａおよび負荷装置１１〜１ｎに関する個別情報６ｂが予め記憶されている。負荷装置特徴マスタデータ６ａは、負荷装置１１〜１ｎが有するそれぞれの個別負荷電流波形Ｗ１〜Ｗｎを予め個別にサンプリングし、その特徴を量子データ化することにより生成されている。個別情報６ｂは、負荷装置１１〜１ｎが配置された位置に関する位置マスタ情報を含んでいる。
【００２０】
負荷装置特定手段８は、分離されたそれぞれの個別負荷電流波形Ｗｘ，Ｗｙ，Ｗｚ，，，を量子データ化し特徴化した個別負荷機器特徴データＲ１〜Ｒｎを生成する（図２参照）。
【００２１】
図４に示されるように、負荷装置特定手段８は、生成された個別負荷機器特徴データＲ１〜Ｒｎとデータベース６に記憶された負荷装置特徴マスタデータ６ａとを比較して負荷装置１１〜１ｎの負荷装置ＩＤをそれぞれ特定する。負荷装置特定手段８は、特定された負荷装置１１〜１ｎの負荷装置ＩＤと計測位置データと計測日時を管理手段９に出力する。管理手段９は、例えば、ＰＣ等の情報端末である。
【００２２】
図５に示されるように、管理手段９は、特定された負荷装置ＩＤと計測位置データと特定された負荷装置の個別情報６ｂを比較して個別情報６ｂを更新する。即ち、管理手段９は、個別情報６ｂを最新のデータに書き換える。管理手段９は、個別情報６ｂのうち、更新日時を書き換える。管理手段９は、個別情報６ｂのうち計測位置データと位置マスタ情報とが同じである場合、「異常なし」として表示してもよい。
【００２３】
そして、管理手段９は、個別情報６ｂのうち計測位置データと位置マスタ情報とが異なる場合、負荷装置１１〜１ｎの移動を検出し、個別情報６ｂに含まれる現在位置データを計測位置データに更新する。この際、管理手段９は、負荷装置１１〜１ｎに移動が生じたとして位置変更アラームを表示してもよい。
【００２４】
例えば、拠点Ａに配置された負荷装置１ｘが拠点Ｂに配置された場合、管理手段９は、負荷装置１ｘが拠点Ａから拠点Ｂに移動したことを検出し、個別情報６ｂに含まれる現在位置データを拠点Ａから拠点Ｂに更新しアラームを表示する。例えば、負荷装置ＩＤ＝０００３の電気機器は、計測位置Ｂで検出された場合、管理手段９は、前回検出された計測位置「Ａ」を計測位置「Ｂ」に書き換え、個別情報を更新しアラームを表示する。これにより、管理手段９の操作者は、各負荷装置１１〜１ｎの移動をリアルタイムで把握することができる。
【００２５】
また、負荷装置特定手段８は、負荷装置ＩＤの特定の過程で個別負荷機器特徴データＲ１〜Ｒｎのいずれかに負荷装置ＩＤと一致しないものを検出した場合、管理手段９に未認証負荷装置を検出したとしてアラームを通知してもよい。そして、負荷装置特定手段８は、未認証負荷装置を推定して管理手段９に登録してもよい。
【００２６】
次に、資産管理システム１０の資産管理の処理について説明する。
【００２７】
図６に示されるように、資産管理システム１０において、計測手段３は、複数の負荷装置１が接続された電源２の負荷電流波形Ｗを計測する（Ｓ１００）。送信手段４は、負荷電流波形Ｗの計測データと計測した位置の計測位置データとを含む計測情報を送信する（Ｓ１０１）。波形分離フィルタ７は、計測情報に基づいて負荷電流波形Ｗから複数の負荷装置１がそれぞれ有する個別負荷電流波形Ｗｘ，Ｗｙ，Ｗｚ，，，を分離する（Ｓ１０２）。データベース６には、負荷装置１１〜１ｎがそれぞれ有する個別負荷電流波形Ｗ１〜Ｗｎの特徴がデータ化された負荷装置特徴マスタデータおよび負荷装置に関する個別情報が記憶されている。負荷装置特定手段８は、分離されたそれぞれの個別負荷電流波形Ｗｘ，Ｗｙ，Ｗｚ，，，を特徴化した個別負荷機器特徴データＲ１〜Ｒｎを生成する（Ｓ１０３）。
【００２８】
負荷装置特定手段８は、個別負荷機器特徴データＲ１〜Ｒｎと負荷装置特徴マスタデータ６ａとを比較して負荷装置１１〜１ｎを特定する（Ｓ１０４）。管理手段９は、特定された負荷装置１１〜１ｎの計測位置データと特定された負荷装置１１〜１ｎの個別情報とを比較して個別情報を更新する（Ｓ１０５）。この時、管理手段９は、個別情報６ｂのうち計測位置データと位置マスタ情報とが異なる場合、負荷装置１１〜１ｎの移動を検出し、個別情報６ｂに含まれる現在位置データを計測位置データに更新する。
【００２９】
上述したように、資産管理システム１０によると、電源２に接続された複数の負荷装置１を個別に識別し、遠隔地に設置された管理手段９で管理することができる。資産管理システム１０は、負荷装置１が通信機能を有していなくても、負荷装置１の負荷電流波形Ｗを解析し、個々の負荷装置１１〜１ｎが有する個別負荷電流波形Ｗ１〜Ｗｎを分離して個々の負荷装置１１〜１ｎを特定することができる。そして、資産管理システム１０は、個々の負荷装置１１〜１ｎの設置位置を特定し、個々の負荷装置１１〜１ｎの設置位置の移動をリアルタイムで検出し、資産管理を容易にすることができる。
【００３０】
上記で説明した資産管理システム１０による資産管理方法は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を含む半導体処理装置を用いて実現されてもよい。また、これらの処理は、少なくとも１つのプロセッサ（ｅ．ｇ．  マイクロプロセッサ、ＭＰＵ、ＤＳＰ（Ｄｉｇｉｔａｌ  Ｓｉｇｎａｌ  Ｐｒｏｃｅｓｓｏｒ））を含むコンピュータシステムにプログラムを実行させることによって実現されてもよい。具体的には、これらの送信信号処理又は受信信号処理に関するアルゴリズムをコンピュータシステムに行わせるための命令群を含む１又は複数のプログラムを作成し、当該プログラムをコンピュータに供給すればよい。
【００３１】
これらのプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。
【００３２】
非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。
【００３３】
また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００３４】
なお、本発明は上記実施の形態に限られたものではなく、趣旨を逸脱しない範囲で適宜変更することが可能である。例えば、管理手段９は、所定の期間内で各負荷装置１１〜１ｎのいずれかの個別負荷電流波形Ｗ１〜Ｗｎが検出されない場合、各負荷装置１１〜１ｎが消滅したとして検出し、警告の表示をしてもよい。
【符号の説明】
【００３５】
１            負荷装置
２            電源
２ａ            電力線
３            計測手段
４            送信手段
５            ネットワーク
６            データベース
６ａ            負荷装置特徴マスタデータ
６ｂ            個別情報
７            波形分離フィルタ
８            負荷装置特定手段
９            管理手段
１０            資産管理システム
１１−１ｎ        負荷装置
Ａ，Ｂ，Ｃ        拠点
Ｒ１−Ｒｎ        個別負荷機器特徴データ
Ｗ            負荷電流波形
Ｗ１−Ｗｎ        個別負荷電流波形
【図１】
0006701619.tif 000002
【図２】
0006701619.tif 000003
【図３】
0006701619.tif 000004
【図４】
0006701619.tif 000005
【図５】
0006701619.tif 000006
【図６】
0006701619.tif 000007